(57)【要約】【課題】通話卓の構成を簡略化して、なおかつ複雑な通信形態に対応することができ、他の使用形態にも流用することができるようにする。【解決手段】回線交換機２には、通話卓１毎の送受信設定テーブルが格納されている。パソコン１６で所定の通話卓１が指定されると、その画面にその指定された通話卓１に対する送受信設定画面が表示され、この送受信設定画面を操作することにより、この指定された通話卓１に対し、一斉通話やグループ通話，個別通話といった通話の種別と通話先に対する送信，受信あるいは送受信といった通話形態とからなる送受信設定がなされ、その送受信設定情報が回線交換機２でのこの指定された通話卓１に対する送受信設定テーブルに登録される。通話卓１でマイクロホンを取り上げると、回線交換機２は、登録されている送受信設定テーブルの情報に基づいて、該当する無線端末４との送信，受信もしくは送受信を可能にする。【選択図】図１
2010081079.tif 000002
【特許請求の範囲】
【請求項１】
１または複数の通話卓と、該通話卓が接続された回線交換機と、該回線交換機と接続されて無線端末と無線通信を行なう基地局とを備え、該回線交換機と該基地局とを介して該通話卓と通話先としての該無線端末との間で通信を行なう無線通信システムであって、
該回線交換機に、該通話卓について、通話先への一斉通話，グループ通話，個別通話の通話種別や送・受信の可・不可を設定した送受信設定情報が保存され、
該通話卓は、該送受設定情報に応じて、該通話種別で決められる該無線端末と、送信，受信もしくは送受信の通信を行なうことを特徴とする無線通信システム。
【発明の詳細な説明】
【技術分野】
【０００１】
本発明は、基地局を介して通話卓と無線端末との間で通信を行なう無線通信システムに係り、特に、通話卓の改善に関するものである。
【背景技術】
【０００２】
基地局を介して携帯電話などの無線端末間の無線通信（通話）を行なうための無線通信システムとして、従来、基地局側に通話卓を設け、この通話卓と無線端末との間の無線通信（通話）を可能とした技術がしられている（例えば、特許文献１参照）。
【０００３】
図５はかかる無線通信システムの一従来例を示す概略構成図であって、１’は通話卓、２’は回線交換機、３は基地局、４は無線端末である。
【０００４】
同図において、一方の無線端末４と他方の無線端末４とは、同じ基地局３の通話エリア内にあるときには、この基地局４を介して無線通信が可能であり、異なる基地局３の通話エリア内にあるときには、回線交換機２’がこれら基地局３を接続し、これら無線端末４がこれら２つの基地局３を介して無線通信が可能となる。
【０００５】
かかる無線通信システムにおいて、回線交換機２’を介して基地局３に通話卓１’が接続されており、通話卓１’と無線端末４との間で、回線交換機２’や基地局３を介して、無線通信を行なうことができる。
【０００６】
上記特許文献１に記載の技術では、無線端末（移動局）の送受信処理ユニットと基地局の送受信処理ユニットとを同一の構成として共通化することにより、これらに同じ設計のユニットを用いることができるようにして、システムのコストダウンを図るものである。
【０００７】
図６は図５における通話卓の操作部を示す外観図であって、５は操作部、６は通話種別選択部、６1は「一斉通話」選択ボタン、６2は「グループ通話」選択ボタン、６3は「個別通話」選択ボタン、７は通話エリア選択部、７ａは通話送信設定ボタン、７ｂは通話受信設定ボタン、８はグループ選択部、８ａは通話送信設定ボタン、８ｂは通話受信設定ボタン、９はスピーカ、１０はマイクロホン、１１はプレススイッチ、１２ａ，１２ｂはケーブルである。
【０００８】
同図において、通話卓１の筐体での前面の操作部５には、通話種別選択部６と通話エリア選択部７とグループ選択部８とスピーカ９とが設けられている。また、この通信卓１には、ケーブル１２ａを介してマイクロホン１０が接続されており、通話卓１’の図示しないマイク載置台に載置されている。このマイクロホン１０には、通話信号の送信のためのプレススイッチ１１が設けられている。さらに、この通話卓１’は、ケーブル１２ｂを介して、回線交換機２’（図５）に接続されている。
【０００９】
通話種別選択部６には、通信（通話）可能な全ての無線端末４との通信を一斉にすることができる状態に通話卓１’を設定するための「一斉通話」設定ボタン６1と、後述する通話エリア選択部７で選択された通話エリア（基地局）やグループ選択部８で選択されたグループ（例えば、作業現場での無線端末４のグループ）での複数の通話エリアやグループと同時に通話ができる状態に設定するための「グループ通話」選択ボタン６2と、予め決められた単一の無線端末４と通信ができる状態に設定するための「個別通話」選択ボタン６3とが設けられている。
【００１０】
また、通話エリア選択部７は、通話卓１’が無線端末４との通話を希望する通話エリアを選択するためのものであって、各通話エリア毎に通話送信設定ボタン７ａと通話受信設定ボタン７ｂとが設けられて上下に配列されて対をなし、かつ通話エリア毎の通話送信設定ボタン７ａと通話受信設定ボタン７ｂとの対が横方向に配列されている。
【００１１】
さらに、グループ選択部８は、通話卓１’が通話を希望する無線端末４のグループを選択するためのものであって、各グループ毎に通話送信設定ボタン８ａと通話受信設定ボタン８ｂとが設けられて上下に配列されて対をなし、かつグループ毎の通話送信設定ボタン８ａと通話受信設定ボタン８ｂとの対が横方向に配列されている。
【００１２】
ここで、「一斉通話」設定ボタン６1がタッチ操作されると、この通話卓１’に対して通話対象となる全ての無線端末４との一斉通話が可能な「一斉通話」モードとなり、かかるモードに設定されると、マイクロホン１０を取り上げる毎に、通話対象となる全ての無線端末４と同時に通話可能となる。
【００１３】
なお、マイクロホン１０を取り上げてプレススイッチ１１を押し込むと、この通話卓１’から着信先の無線端末４への通話信号（音声信号）の送信可能な状態となり、このマイクロホン１０を取り上げた状態でプレススイッチ１１の押し込みを解除すると、かかる無線端末４からの通話信号の受信状態となり、スピーカ９から相手からの通話が流れることになる。「一斉通話」設定ボタン６1がタッチ操作された「一斉通話」モードでは、通話卓１’は、無線端末４への通話信号の送信と無線端末４からの通話信号の受信とが可能な状態となっている。
【００１４】
所定の複数の通話エリアでの無線端末４と通信を可能なモード（「グループ通話」モード）とする場合には、通話エリア選択部７での通話を希望する無線端末４の複数の通話エリアに対する通話送信設定ボタン７ａ，通話受信設定ボタン７ｂのいずれか一方、もしくは両方をタッチ操作し、さらに、通話種別選択部６での「グループ通話」選択ボタン６2をタッチ操作する。これにより、この「グループ通話」モードが設定されるが、このとき、通話送信設定ボタン７ａのみをタッチ操作した通話エリアに対しては、通話卓１’は、マイクロホン１０でのプレススイッチ１１の押し込みによる通話卓１’からの通話信号の送信しかできず、この通話エリアでの無線端末４からの通話信号を受信することはできない。また、通話受信設定ボタン７ｂのみがタッチ操作されたときには、通話卓１’は、マイクロホン１０でのプレススイッチ１１の押し込みによる通話卓１’からの通話信号の送信はできず、この通話エリアでの無線端末４からの通話信号を受信することはできるだけである。さらに、通話送信設定ボタン７ａと通話受信設定ボタン７ｂとがタッチ操作されたときには、通話卓１’は、マイクロホン１０でのプレススイッチ１１の押し込みによる通話卓１’からの通話信号の送信と、この通話エリアでの無線端末４からの通話信号の受信とができる。
【００１５】
所定の複数のグループでの無線端末４と通信を可能なモード（これも、「グループ通話」モード）とする場合にも、グループ選択部８での通話を希望する無線端末４の複数のグループに対する通話送信設定ボタン８ａ，通話受信設定ボタン８ｂのいずれか一方、もしくは両方をタッチ操作し、さらに、通話種別選択部６での「グループ通話」選択ボタン６2をタッチ操作する。これにより、この「グループ通話」モードが設定されるが、このとき、通話送信設定ボタン８ａのみをタッチ操作したグループに対しては、通話卓１’は、マイクロホン１０でのプレススイッチ１１の押し込みによる通話卓１’からの通話信号の送信しかできず、この通話エリアでの無線端末４からの通話信号を受信することはできない。また、通話受信設定ボタン８ｂのみがタッチ操作されたときには、通話卓１’は、マイクロホン１０でのプレススイッチ１１の押し込みによる通話卓１’からの通話信号の送信はできず、この通話エリアでの無線端末４からの通話信号を受信することはできるだけである。さらに、通話送信設定ボタン８ａと通話受信設定ボタン８ｂとがタッチ操作されたときには、通話卓１’は、マイクロホン１０でのプレススイッチ１１の押し込みによる通話卓１’からの通話信号の送信と、このグループでの無線端末４からの通話信号の受信とができる。
【００１６】
通話エリア選択部７で、上記のように、所定の通話エリアを選択し、これともに、グループ選択部８で、上記のように、所定のグループを選択して、「グループ通話」選択ボタン６2をタッチ操作しても、同様にして、「グループ通話」モードが設定され、選択された通話エリアとグループとでの無線端末４との上記のような通話が可能となる。
【００１７】
また、「個別通話」選択ボタン６3がタッチ操作されると、予め決められた単一の無線端末４との通話を可能とする「個別通話」モードが設定される。
【００１８】
一方、通話卓１’には、図７に示す送受信設定テーブル１２が設けられている。なお、図７において、１３は送受信設定テーブル、１３ａは「通話卓番号」登録欄、１３ｂは「通話卓名称」登録欄、１３ｃは「通話エリア」登録欄、１３ｃ1，１３ｃ2，……，１３ｃn+1は「通話エリア設定［ｉ］」欄、１３ｄは「グループ」登録欄、１３ｄ1，欄１３ｄ2，……，１３ｄm+1は「グループ設定［ｊ］」欄、１４ａは「通信エリア番号」登録欄、１５ａは「グループＩＤ」登録欄、１４ｂ，１５ｂは「送信指定」欄、１４ｃ，１５ｃは「受信指定」欄である。
【００１９】
送受信設定テーブル１３は、この通話卓１’の番号が登録される「通話卓番号」登録欄１３ａと、通話卓１’の名称（例えば、「サンプル通話卓」）が登録される「通話卓名称」登録欄１３ｂと、通話対象となる全ての通話エリアに関する情報が登録される「通話エリア」登録欄１３ｃと、通話の対象となる全てのグループに関する情報が登録される「グループ」登録欄１３ｄとから構成される。
【００２０】
「通話エリア」登録欄１３ｃは、夫々の通話エリアに関する情報を登録する通話エリア毎の「通話エリア設定［０］」欄１３ｃ1，「通話エリア設定［１］」欄１３ｃ2，……，「通話エリア設定［ｎ］」欄１３ｃn+1が設けられており、夫々の「通話エリア設定［ｉ］」欄１３ｃi+1には（但し、ｉ＝０，１，……，ｎ）、通話エリアの番号を登録する「通話エリア番号」登録欄１４ａと、通話卓１’からこの通話エリア［ｉ］の無線端末４への通話信号の送信が指定されたか否かを登録する「送信指定」欄１４ｂと、この通話卓１’でこの通話エリア［ｉ］からの通話信号の受信が指定されたか否かを登録する「受信指定」欄１４ｃとが設けられている。
【００２１】
ここで、図６において、通話エリア選択部７での所定通話エリア［ｉ］に対する通話送信設定ボタン７ａがタッチ操作されて「グループ通話」モードが設定されたときには、「通話エリア設定［ｉ］」欄１３ｃi+1の「送信指定」欄１４ｂで“ＯＮ”が登録され、通話送信設定ボタン７ａがタッチ操作されない場合には、“ＯＦＦ”が登録される。同様にして、図６において、通話エリア選択部７での所定通話エリア［ｉ］に対する通話受信設定ボタン７ｂがタッチ操作されて「グループ通話」モードが設定されたときには、「通話エリア設定［ｉ］」欄１３ｃi+1の「受信指定」欄１４ｃで“ＯＮ”が登録され、通話受信設定ボタン７ｂがタッチ操作されない場合には、“ＯＦＦ”が登録される。通話送信設定ボタン７ａと通話受信設定ボタン７ｂとがともにタッチ操作されたときには、「送信指定」欄１４ｂと「受信指定」欄１４ｃとで“ＯＮ”が登録される。
【００２２】
「グループ」登録欄１３ｄは、夫々のグループに関する情報を登録するグループ毎の「グループ設定［０］」欄１３ｄ1，「グループ設定［１］」欄１３ｄ2，……，「グループ設定［ｍ］」欄１３ｄm+1が設けられており、夫々の「グループ設定［ｊ］」欄１３ｄj+1には（但し、ｊ＝０，１，……，ｍ）、グループの番号を登録する「グループＩＤ」登録欄１５ａと、通話卓１’からこのグループ［ｊ］の無線端末４への通話信号の送信が指定されたか否かを登録する「送信指定」欄１５ｂと、この通話卓１’でこのグループ［ｊ］からの通話信号の受信が指定されたか否かを登録する「受信指定」欄１５ｃとが設けられている。
【００２３】
ここで、図６において、グループ選択部８での所定グループ［ｊ］に対する通話送信設定ボタン８ａがタッチ操作されて「グループ通話」モードが設定されたときには、「グループ設定［ｊ］」欄１３ｄj+1の「送信指定」欄１５ｂで“ＯＮ”が登録され、通話送信設定ボタン８ａがタッチ操作されない場合には、“ＯＦＦ”が登録される。同様にして、図６において、グループ選択部７での所定グループ［ｊ］に対する通話受信設定ボタン８ｂがタッチ操作されて「グループ通話」モードが設定されたときには、「グループ設定［ｊ］」欄１３ｄj+1の「受信指定」欄１５ｃで“ＯＮ”が登録され、通話受信設定ボタン８ｂがタッチ操作されない場合には、“ＯＦＦ”が登録される。通話送信設定ボタン８ａと通話受信設定ボタン８ｂとがともにタッチ操作されたときには、「送信指定」欄１５ｂと「受信指定」欄１５ｃとで“ＯＮ”が登録される。
【００２４】
なお、図６において、「一斉通話」設定ボタン６1がタッチ操作されて「一斉通話」モードが設定されたときには、全ての「通話エリア設定［０］」欄１３ｃ1，「通話エリア設定［１］」欄１３ｃ2，……，「通話エリア設定［ｎ］」欄１３ｃn+1での「送信指定」欄１４ｂと「受信指定」欄１４ｃとで“ＯＮ”が設定され、これとともに、全ての「グループ設定［０］」欄１３ｄ1，「グループ設定［１］」欄１３ｄ2，……，「グループ設定［ｍ］」欄１３ｄm+1での「送信指定」欄１５ｂと「受信指定」欄１５ｃとで“ＯＮ”が設定される。
【００２５】
そこで、通話卓１’は、マイクロホン１０がマイク載置台から持ち上げられると、かかる送受信設定テーブル１３をもとに、そのとき設定されているモードに応じて、「送信指定」欄１４ｂに“ＯＮ”が登録されている通話エリアや「送信指定」欄１５ｂに“ＯＮ”が登録されているグループでの無線端末４への通話信号の送信が可能となるし、「受信指定」欄１４ｃに“ＯＮ”が登録されている通話エリアや「受信指定」欄１５ｃに“ＯＮ”が登録されているグループでの無線端末４からの通話信号の受信が可能となる。
【００２６】
なお、通話卓１’での各操作ボタン６1〜６3，７ａ，７ｂ，８ａ，８ｂは、送受信設定テーブル１３で“ＯＮ”状態が設定されているときと“ＯＦＦ”状態が設定されているときとで、例えば、内蔵のランプが点灯あるいは消灯することなどにより、異なる設定状態が目視できるようにしている。
【特許文献１】特開２００３ー２５８６７２号公報
【発明の開示】
【発明が解決しようとする課題】
【００２７】
ところで、上記の無線通信システムでは、通話卓１’でモードが一旦設定されると、そのモードが変更されない限り、その設定されているモードで無線端末４との通話が可能となる。
【００２８】
しかしながら、上記の無線通信システムで用いられる従来の通話卓では、モードの設定のためのハードウェアスイッチを設け、これを操作することによって行なわれるものであり、かかるハードウェアスイッチとしては、無線端末と通話を必要とする通話エリアの個数やグループの個数分必要であり、かかる通話エリアやグループが多くなると、必要とするハードウェアスイッチの個数も多くなって、通話卓１’の大きさに対して制約が加わることになるし、また、この制約をなくそうとすると、通話卓を大型化せざるを得なくなる。そして、これとともに、通話卓も複雑化して、その開発や納期の短縮の要望に応じられなくなる。
【００２９】
また、利用者が求める通話の形態も複雑化してきており、ハードウェアスイッチを用いた構成では、その設置個数の制約などから、対応できなくなってきている。
【００３０】
本発明の目的は、かかる問題を解消し、通話卓の構成を簡略化して、なおかつ複雑な通信形態に対応することができ、他の使用形態にも流用することができるようにした無線通信システムを提供することにある。
【課題を解決するための手段】
【００３１】
上記目的を達成するために、本発明は、１または複数の通話卓と、通話卓が接続された回線交換機と、回線交換機と接続されて無線端末と無線通信を行なう基地局とを備え、回線交換機と基地局とを介して通話卓と通話先としての無線端末との間で通信を行なう無線通信システムであって、回線交換機に、通話卓について、通話先への一斉通話，グループ通話，個別通話の通話種別や送・受信の可・不可を設定した送受信設定情報が保存され、通話卓は、送受設定情報に応じて、通話種別で決められる無線端末と、送信，受信もしくは送受信の通信を行なうことを特徴とするものである。
【発明の効果】
【００３２】
本発明によると、通話卓としては、通話に必要な送受信設定のための操作手段やそのための回路構成を削除することができるものであって、従来と同様の送受信機能を保持しながら、通話卓の大幅な部品点数の削減と小型化，低コスト化を実現できる。
【発明を実施するための最良の形態】
【００３３】
以下、本発明の実施形態を図面を用いて説明する。
【００３４】
図１は本発明による無線通信システムの一実施形態を示すシステム構成図であって、１６はパーソナルコンピュータ（以下、パソコンという）であり、図５よ対応する部分には同一符号をつけて重複する説明を省略する。
【００３５】
この実施形態は、図１に示すように、１または複数の通話卓１とともに、送受信設定手段としてのパソコン１６を設け、このパソコン１６の操作により、通話卓１夫々の図７で示した送受信設定テーブル１３での送受信設定を行なうことができるようにしたものである。ここで、かかる各通話卓１の送受信設定テーブル１３は、図５で示す従来の無線通信システムとは異なり、回線交換機２に格納されている。
【００３６】
なお、以下では、このように、送受信設定テーブル１３が回線交換機２に格納されているものとして説明するが、かかる送受信設定テーブル１３は、パソコン１６に格納されていてもよい。
【００３７】
パソコン１６では、その操作部で所望とする通話卓１を指定することにより、その表示画面（図示せず）にこの指定された通話卓１に対する、図７に示す送受信設定テーブル１３に対応した送受信設定画面が表示され、かかる送受信設定画面を操作することにより、回線交換機２に格納されている送受信設定テーブル１３でこの通話卓１のための送受信に関する情報を設定するものである。
【００３８】
かかる送受信設定画面としては、例えば、図２に示すように、図６に示す従来の通話卓１’の操作部５と同様の操作ボタン配列を表わす画面１７であって（なお、図２においては、図６に対応する部分に同一符号をつけている）、その操作ボタン、即ち、通話送信設定ボタン７ａ，８ａや通話受信設定ボタン７ｂ，８ｂをカーソル操作することにより、あるいは、パソコン１６の表示画面にタッチパネルが設けられている場合には、かかる操作ボタンをタッチ操作することにより、図７で先に説明したように、操作された操作ボタンに該当する送受信設定テーブル１３での所定の「通話エリア設定［ｉ］」欄１３ｃiの「送信指定」欄１４ｂ，「受信指定」欄１４ｃや「グループ設定［ｊ］」欄１３ｃjの「送信指定」欄１５ｂ，「受信指定」欄１５ｃにおける“ＯＮ”，“ＯＦＦ”の設定が行なわれる。
【００３９】
なお、パソコン１６は、オペレータの所望とする通話卓１の指定操作によってその送受信設定画面１７を表示画面に表示するに際し、回線交換機２からこの指定される通話卓１に対する送受信設定テーブル１３（図７）の情報（この通話卓１の送受信設定状態を示す情報）を取得し、この情報に応じた送受信設定画面１７を作成して表示する。これにより、送受信設定画面１７では、「送信指定」欄１４ｂ，１５ｂや「受信指定」欄１４ｃ，１５ｃが“ＯＮ”状態に設定されているときには、このために操作された通話送信設定ボタン７ａ，８ａや通話受信設定ボタン７ｂ，８ｂが点滅したり、所定の色で表示されたりしており、かかる常時状態にある操作ボタンを再度操作すると、これら「送信指定」欄１４ｂ，１５ｂや「受信指定」欄１４ｃ，１５ｃが“ＯＮ”状態に切り替えられてこれら操作ボタンのかかる表示状態が終了する。
【００４０】
また、パソコン１６では、送受信設定テーブル１３での「通話エリア番号」登録欄１４ａや「グループＩＤ」登録欄１４ａなどの各欄の更新も可能である。
【００４１】
さらに、ここでは、パソコン１６は、全ての通話卓１に使用されるものとしている。この場合には、例えば、同じフロアや同じ管理室などに複数の通話卓１と１つのパソコン１６が設置される。
【００４２】
これに対し、通話卓１毎にその間近にパソコン１６を設け、夫々のパソコン１６は該当する通話卓１の送受信設定をするものとしてもよい。この場合には、通話卓１を使用するオペレータは、この通話卓１に該当するパソコン１６を操作することにより、この通話卓１の送受信設定を適宜変更することができ、同じ通話卓１で通話先の変更を容易に行なうことができる。
【００４３】
図３は図１における通話卓１の一具体例を示す外観図であって、図６に対応する部分には同一符号をつけて重複する説明を省略する。
【００４４】
同図において、この通話卓１には、その筐体にスピーカ９が設けられているだけであって、図６に示す従来の通話卓１’のような送受信設定のための操作部５は設けられていない（但し、図示しないが、電源スイッチやスピーカ９のための音量調整用つまみ，送受信状態の表示ランプなど通話卓１の動作のために必要な手段は設けられている）。
【００４５】
なお、複数の通話卓１が使用される場合、夫々の通話卓１での異なる送受信設定がなされるときには、希望する送受信設定がなされている通話卓１が用いられることになる。この場合、どの通話卓１にどのような送受信設定がなされているかは、通常オペレータの記憶や貼り紙を貼ることなどによって認識されるものであるが、パソコン１６の所定操作により、回線交換機２での送受信設定テーブル１３（図７）をもとに、各通話卓１での現在の送受信設定状態を表わす画面を表示させることができ、これによっても、各通話卓１の送受信設定状態を認識できて、所望とする通信卓１を確実に使用することが可能となる。
【００４６】
この通話卓１では、その筐体のマイク載置部に載置されているマイクロホン１１を取り上げるだけで、パソコン１６によって設定された送受信設定状態で無線端末４との通話ができ、かかる送受信設定のための操作を行なう必要はない。
【００４７】
図４は図５に示す従来の無線通信システムでの図６に示す通話卓１’，回線交換機２’と図１に示す本発明による無線通信システムでの図３に示す通話卓１，回線交換機２との機能を比較して示す図である。
【００４８】
同図において、従来の無線通信システムでの従来の方式では、通話卓１’は、図６での通話種別選択部６による通話種別の選択機能と、図６での通話エリア選択部７による通話エリアの選択機能と、図６でのグループ選択部８によるグループ選択機能と、図６での操作部５のボタン操作による送受設定情報の回線交換機２’への通知機能と、図６でのプレススイッチ１１の操作による回線交換機２’へのプレス要求機能と、図６に示すスピーカ９での受信音声の出力機能とを有するものであるが、上記実施形態での通話卓１は、上記の通話卓１’に対し、図３でのプレススイッチ１１の操作による回線交換機２へのプレス要求機能と、図３に示すスピーカ９での受信音声の出力機能とを有するだけである。
【００４９】
従来の無線通信システムでの従来の方式では、回線交換機２’は、通話しようとする通話卓１’からの図６での操作部５のボタン操作による送受設定情報の受付機能と、通話卓１’からの上記プレス要求機能の受付機能と、受信音声の通話卓１’への出力機能と、通話（呼）の管理機能とを有するが、上記実施形態での回線交換機２は、図１に示すパソコン１６からの各通話卓１からの送受設定情報の受付及び設定保存機能と、上記のプレス要求機能の受付機能と、上記の受信音声の通話卓１への出力機能と、通話（呼）の管理機能とを有する。
【００５０】
このように、従来方式での通話卓１’に対し、この実施形態での通話卓１の機能は大幅に削減され、また、従来方式の回線交換機２’に対し、この実施形態での回線交換機１では、パソコン１６から夫々の通話卓１の送受設定情報が供給され、これが保存設定される点が異なるものである。
【００５１】
このように、
【図面の簡単な説明】
【００５２】
【図１】本発明による無線通信システムの第１の実施形態を示すシステム構成図である。
【図２】図１におけるパソコンの表示画面での送受信設定画面の一具体例を示す図である。
【図３】図１における通話卓の一具体例を示す外観図である。
【図４】図５に示す従来の無線通信システムでの通話卓，回線交換機と図１に示す無線通信システムでの通話卓，回線交換機との機能とを比較して示す図である。
【図５】無線通信システムの一従来例を示す概略構成図である。
【図６】図５における通話卓の操作部を示す外観図である。
【図７】図６における通話卓に設けられた送受信設定テーブルを示す図である。
【符号の説明】
【００５３】
１  通話卓
２  回線交換機
３  基地局
４  無線端末
５  操作部
６  通話種別選択部
６1  「一斉通話」選択ボタン
６2  「グループ通話」選択ボタン
６3  「個別通話」選択ボタン
７  通話エリア選択部
７ａ  通話送信設定ボタン
７ｂ  通話受信設定ボタン
８  グループ選択部
８ａ  通話送信設定ボタン
８ｂ  通話受信設定ボタン
９  スピーカ
１０  マイクロホン
１１  プレススイッチ
１２ａ，１２ｂ  ケーブル
１３  送受信設定テーブル
１３ａ  「通話卓番号」登録欄
１３ｂ  「通話卓名称」登録欄
１３ｃ  「通話エリア」登録欄
１３ｃ1，１３ｃ2，……，１３ｃn+1  「通話エリア設定［ｉ］」欄
１３ｄ  「グループ」登録欄
１３ｄ1，１３ｄ2，……，１３ｄm+1  「グループ設定［ｊ］」欄
１４ａ  「通信エリア番号」登録欄
１５ａ  「グループＩＤ」登録欄
１４ｂ，１５ｂ  「送信指定」欄
１４ｃ，１５ｃ  「受信指定」欄
１６  パソコン
１７  送受信設定画面
【図１】
2010081079.tif 000003
【図２】
2010081079.tif 000004
【図３】
2010081079.tif 000005
【図４】
2010081079.tif 000006
【図５】
2010081079.tif 000007
【図６】
2010081079.tif 000008
【図７】
2010081079.tif 000009